(57)【要約】【課題】水循環流路の詰まりを検出することができる空気除菌装置及びその制御方法を提供する。【解決手段】電解槽内の温度を検出する槽温度センサを備え、この検出温度が閾値温度（６０℃）を超えたか否かを判定し（ステップＳ３）、超える場合、その検出温度と予め測定した循環ポンプの運転開始時の検出温度との温度差が閾値温度差（１０ｄｅｇ）内か否かを判定し（ステップＳ４）、その温度差が閾値温度差以上であれば、水循環流路の詰まりを報知し（ステップＳ５）、その温度差が閾値温度差以上であれば、槽温度センサを報知するようにした（ステップＳ６）。【選択図】図８
2007175141.tif 000002
【特許請求の範囲】
【請求項１】
ポンプにより水受皿からの塩素イオンを含む水を電解槽に供給し、この電解槽内の一対以上の電極により電気分解された電解水を気液接触部材に滴下又は浸透させ、この気液接触部材から滴下した電解水を水受皿に貯留させる水循環運転を行うと共に、前記気液接触部材に室内の空気を送り、電解水に接触させた空気を室内に吹き出す空気除菌機構と、
前記電解槽内の温度を検出する電解槽内温度検出手段と、
この電解槽内温度検出手段が検出した温度が予め設定した上限温度を超えると、水循環流路の詰まりと判定して警告を報知する詰まり検出手段とを備えることを特徴とする空気除菌装置。
【請求項２】
前記電解槽内温度検出手段が検出した温度が前記上限温度を超えると、前記検出した温度と、前記電解槽内温度検出手段が前記ポンプの運転開始時に検出した温度との温度差が、予め設定した温度差に満たない場合に、前記電解槽内温度検出手段の異常と判定して警告を報知することを特徴とする請求項１に記載の空気除菌装置。
【請求項３】
ポンプにより水受皿からの塩素イオンを含む水を電解槽に供給し、この電解槽内の一対以上の電極により電気分解された電解水を気液接触部材に滴下又は浸透させ、この気液接触部材から滴下した電解水を水受皿に貯留させる水循環運転を行うと共に、前記気液接触部材に室内の空気を送り、電解水に接触させた空気を室内に吹き出す空気除菌機構を備える空気除菌装置の制御方法において、
前記電解槽内の温度を検出し、この検出した温度が予め設定した上限温度を超えると、水循環流路の詰まりと判定して警告を報知することを特徴とする空気除菌装置の制御方法。
【発明の詳細な説明】
【技術分野】
【０００１】
本発明は、空中浮遊微生物ウィルス等の除去が可能な空気除菌装置及びその制御方法に関する。
【背景技術】
【０００２】
一般に、空中浮遊微生物ウィルス等の除去を目的として、空気中に電解水ミストを拡散させて、この電解水ミストを空中浮遊微生物に直接接触させ、ウィルス等を不活化する除菌装置が提案されている（例えば、特許文献１参照）。
【特許文献１】特開平２００２−１８１３５８号公報
【発明の開示】
【発明が解決しようとする課題】
【０００３】
しかしながら、従来のものは、電解水ミストの拡散範囲が制限されるため、大空間、例えば幼稚園や小・中・高等学校等や、介護保険施設や病院等の広い部屋では効力を発揮しにくいという問題がある。
一方、大空間の除菌を図るべく、塩素イオンを含有する水を電気分解して得た電解水を気液接触部材に滴下または浸透させて、この気液接触部材に室内の空気を送り、この電解水に接触させた空気を室内に吹き出す構成を備えたものが提案される。この構成の場合、電極で水を電気分解するときには、生成された電解水の温度が上昇してしまう。この温度が上昇した電解水は、循環されて気液接触部材に送られ、この気液接触部材で冷却されて再び電解槽に戻ってくるため、電解槽内の電解水の温度上昇は少ない。しかし、電解水が循環する水循環流路に、ゴミやほこり等が詰まって閉鎖されると、電解槽内の電解水の温度が上昇してしまう。そして、このままの状態で電気分解を続けると、電極等の劣化が起きやすいといった問題がある。
そこで、本発明の目的は、水循環流路の詰まりを検出することができる空気除菌装置及びその制御方法を提供することにある。
【課題を解決するための手段】
【０００４】
本発明は、ポンプにより水受皿からの塩素イオンを含む水を電解槽に供給し、この電解槽内の一対以上の電極により電気分解された電解水を気液接触部材に滴下又は浸透させ、この気液接触部材から滴下した電解水を水受皿に貯留させる水循環運転を行うと共に、前記気液接触部材に室内の空気を送り、電解水に接触させた空気を室内に吹き出す空気除菌機構と、前記電解槽内の温度を検出する電解槽内温度検出手段と、この電解槽内温度検出手段が検出した温度が予め設定した上限温度を超えると、水循環流路の詰まりと判定して警告を報知する詰まり検出手段とを備えることを特徴とする。
【０００５】
この場合において、前記電解槽内温度検出手段が検出した温度が前記上限温度を超えると、前記検出した温度と、前記電解槽内温度検出手段が前記ポンプの運転開始時に検出した温度との温度差が、予め設定した温度差に満たない場合に、前記電解槽内温度検出手段の異常と判定して警告を報知してもよい。
【０００６】
また、本発明は、ポンプにより水受皿からの塩素イオンを含む水を電解槽に供給し、この電解槽内の一対以上の電極により電気分解された電解水を気液接触部材に滴下又は浸透させ、この気液接触部材から滴下した電解水を水受皿に貯留させる水循環運転を行うと共に、前記気液接触部材に室内の空気を送り、電解水に接触させた空気を室内に吹き出す空気除菌機構を備える空気除菌装置の制御方法において、前記電解槽内の温度を検出し、この検出した温度が予め設定した上限温度を超えると、水循環流路の詰まりと判定して警告を報知することを特徴とする。
【発明の効果】
【０００７】
本発明では、電解槽内の水の温度を検出し、この検出した温度が予め設定した上限温度を超えると、水循環流路の詰まりと判定して警告を報知するので、水循環流路の詰まりを検出することができる。
【発明を実施するための最良の形態】
【０００８】
以下、図面を参照して本発明の実施の形態について説明する。
図１において、符号１は、床置き式空気除菌装置を示す。この床置き式空気除菌装置１は、箱形の筐体２を備え、この筐体２は、脚片２Ａと、前パネル２Ｂと、天パネル２Ｃとを含み、この天パネル２Ｃの両側には、操作蓋２Ｄ、開閉蓋２Ｅがそれぞれ横並びに配置されている。この筐体２の下部には、図２に示すように、横長の吸込口３が形成され、この吸込口３の上方にはプレフィルター３Ａが配置されている。このプレフィルター３Ａの上方には送風ファン７が配置され、この送風ファン７の上方には、保水性の高い気液接触部材５が、図３に示すように、筋交い状に配置され、この気液接触部材５の上方には、横長の吹出口４が配置されている。符号８は、送風ファン７の支持板であり、この支持板８は、筐体２に支持されている。
【０００９】
この気液接触部材５は、ハニカム構造を持ったフィルタ部材であって、気体接触面積が広く確保され、電解水滴下が可能で、目詰まりしにくい構造になっている。すなわち、この気液接触部材５は、図４に示すように、波形状に曲げられた素材５Ａと、平板状の素材５Ｂとを接合し、全体としてハニカム状に形成されている。
【００１０】
これら素材５Ａ，５Ｂには、後述する電解水に反応性の少ない素材、要するに、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）またはセラミックス系材料等の素材が使用され、本構成では、これら素材５Ａ，５Ｂに、ＰＥＴ樹脂が使用されている。また、気液接触部材５には防かび作用を持つ電解水が滴下されるため、気液接触部材５に防かび対策としての防かび剤の塗布が不要になる。
【００１１】
気液接触部材５の傾斜角θは、３０°以上であることが望ましい。それ以下の場合、滴下した電解水が、気液接触部材５の傾斜に沿って流れず、下方に落下する。また、傾斜角θが９０°に近づいた場合、気液接触部材５を通過する送風経路が水平に近くなり、その分だけ上方への吹き出しが困難になる。この吹き出し方向を水平に近付けた場合、吹き出し空気を遠くに送風できなくなり、後述するように、大空間の除菌に適した装置とならない。傾斜角θは、８０°＞θ＞３０°が好ましく、さらに好ましくは、７５°＞θ＞５５°で、本構成では約５７°である。
【００１２】
図５Ａ〜図５Ｃは、気液接触部材５に電解水を滴下する電解水供給手段を示す。
ＰＥＴ樹脂製の気液接触部材５の下方には、水受皿９（図３参照）が配置され、この水受皿９には、給水タンク支持皿１０が連接されている。この給水タンク支持皿１０には、当該支持皿１０内に塩素イオンを含む水道水を貯留して供給する給水タンク１１と、循環ポンプ１３とが配置されている。この循環ポンプ１３には電解槽３１が接続され、この電解槽３１には電解水供給管１７が接続されている。この電解水供給管１７は、外周部に多数の散水孔（図示せず）を備えて構成され、図５Ｂに示すように、気液接触部材５の上縁部に形成された散水ボックス５Ｃ中に挿入されている。
【００１３】
図５Ａに示すように、電解槽３１は、水受皿９及び給水タンク支持皿１０より上方に配置され、このため、電解槽３１には循環ポンプ１３が運転を開始すると、給水タンク支持皿１０から吸い上げられた水が貯留され、循環ポンプ１３が運転を停止すると、電解槽３１内の水は重力により給水タンク支持皿１０に自然落下し、電解槽３１が空になる。
【００１４】
この電解槽３１には、図５Ｃに示すように、電極３２、３３を備え、電極３２、３３は、通電された場合、電解槽３１に流入した水道水を電気分解して活性酸素種を生成させる。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次ハロゲン酸等といった、いわゆる広義の活性酸素を含めたものとする。電解槽３１は、気液接触部材５に接近して配置され、水道水を電気分解して生成された活性酸素種を、ただちに気液接触部材５に供給できるように構成される。
【００１５】
電極３２，３３は、例えばベースがＴｉ（チタン）で皮膜層がＩｒ（イリジウム）、Ｐｔ（白金）から構成された電極板であり、この電極３２、３３に印加する電流値は、電流密度で数ｍＡ（ミリアンペア）／ｃｍ2（平方センチメートル）〜数十ｍＡ／ｃｍ2として、所定の遊離残留塩素濃度（例えば１ｍｇ（ミリグラム）／ｌ（リットル））を発生させる。
【００１６】
上記電極３２，３３により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩素イオン（水道水に予め添加されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００１７】
この構成では、電極３２，３３に通電することで、殺菌力の大きいＨＣｌＯ（次亜塩素酸）が発生し、この次亜塩素酸が供給された気液接触部材５に空気を通過させることにより、この気液接触部材５で雑菌が繁殖することを防止でき、気液接触部材５を通過する空気中に浮遊するウィルスを不活化することができる。また、臭気も気液接触部材５を通過する際に、電解水中の次亜塩素酸と反応し、イオン化して溶解することで、空気中から除去され、脱臭される。
【００１８】
床置き式空気除菌装置１は、この床置き式空気除菌装置１の各部を中枢的に制御する制御部（詰まり検出手段）３０を備えている。図６は、制御部３０とその周辺構成を示すブロック図である。
【００１９】
制御部３０は、マイコン３４、記憶部３５、給水要求カウンタ３８、入力部３６及び出力部３７を備え、操作蓋２Ｄを開くと露出する操作パネルと遠隔操作用のリモートコントローラ４０（以下、「リモコン」という。）を介して、ユーザから各種指示を入力する。
マイコン３４は、ユーザからの各種指示等に従い、ＥＥＰＲＯＭ等の不揮発性メモリである記憶部３５に予め記憶されている制御プログラムに基づいて、電解槽３１、送風ファン７、循環ポンプ１３等を制御するものである。
【００２０】
入力部３６は、電極３２、３３、槽温度センサ４４、電解槽フロートスイッチ４２及び水受皿フロートスイッチ４３からの検出信号が入力されるインタフェースであり、出力部３７は、電極３２、３３に電力を出力するためのインタフェースである。
マイコン３４は、入力部３６を介して水受皿フロートスイッチ４３から水無しの検出信号を入力すると給水要求を発行し、給水報知ランプ（図示せず）を点灯させ、また、給水要求カウンタ３８は、給水要求の発行回数をカウントし、ユーザが給水を行った際にカウント値をリセットする。
なお、マイコン２２、不揮発性メモリ２３、給水要求カウンタ３８、入力部３６及び出力部３７は、基板に実装され、図示しない電装ボックスに収納されている。
【００２１】
次に、この制御部３０に接続される電源４１、槽温度センサ４４（電解槽内温度検出手段）、電解槽フロートスイッチ４２、水受皿フロートスイッチ４３、電極３２、３３、警告用ランプ３９を説明する。
電源４１は、床置き式空気除菌装置１を動作させるための電源であり、操作パネルの電源スイッチが投入されると、制御部３０に接続された機器に電力を供給する。
槽温度センサ４４は、電解槽３１内に配置される温度センサが適用され、電解槽３１内の電解水の温度を検出する。制御部３０は、床置き式空気除菌装置１の運転開始時に槽温度センサ４４が検出した温度を記憶部３５に記憶する。
【００２２】
電解槽フロートスイッチ４２は、電解槽３１内に予め定められた許可水位以上の電解水が有るか否か検出することにより、電解槽３１内の水の有無を検出する。
水受皿フロートスイッチ４３は、水受け皿９内に予め定められた許可水位以上の電解水が有るか否か検出することにより、電解槽３１内の水の有無を検出する。
また、電解槽３１に設けられた電極３２、３３は、水道水の電気分解に使用されるだけでなく、電解水の導電率を検出するための検出用電極としても使用される。
警告用ランプ３９は、水循環流路の詰まりを報知すると共に、槽温度センサ４４の異常を報知する報知手段として機能するものであり、水循環流路の詰まりを報知する詰まり警告ランプ、槽温度センサ４４の異常を報知するセンサ異常警告ランプを有し、前パネル２Ｂに取り付けられている。
【００２３】
次に、床置き式空気除菌装置１の空気除菌時の動作を説明する。
図１において、操作蓋２Ｄを開くと、図示を省略した操作パネルが内側に設けられており、この操作パネルを操作することで、床置き式空気除菌装置１の運転が開始される。この運転が開始されると、図７に示すように、循環ポンプ１３が駆動され、給水タンク支持皿１０に溜まった水道水が、電解槽３１に供給される。
この電解槽３１では、電極３２、３３への通電により、水道水が電気分解されて活性酸素種を含む電解水が生成される。この電解水は、電解水供給管１７の散水孔（図示せず）を経て、散水ボックス５Ｃ中に散水され、ここから気液接触部材５の上縁部にしみ込み、下部に向けて徐々に浸透する。
【００２４】
気液接触部材５から滴下した電解水は、水受皿９が受けて、水受皿９の一端側の傾斜面により給水タンク支持皿１０内に流入し、そこに貯留される。本構成では、水が循環式となっており、蒸発等により水量が減った場合、給水タンク１１内の水道水が、給水タンク支持皿１０に適量供給される。この給水タンク１１は、開閉蓋２Ｅ（図１参照）を開いて取り出し自在に配置され、この給水タンク１１を取り出して水道水の補給が可能となる。
【００２５】
電解水が浸透した気液接触部材５には、送風ファン７を経て、矢印Ｘで示すように、室内の空気が供給される。この室内の空気は、気液接触部材５にしみ込んだ活性酸素種に接触して、再び、室内に吹き出される。この活性酸素種は、室内の空気中に、例えばインフルエンザウィルスが浮遊した場合、その感染に必須の当該ウィルスの表面蛋白（スパイク）を破壊、消失（除去）する機能を持ち、これを破壊すると、インフルエンザウィルスと、当該ウィルスが感染するのに必要な受容体（レセプタ）とが結合しなくなり、これによって感染が阻止される。実証試験の結果、インフルエンザウィルスが浮遊した空気を、本構成の気液接触部材５に通した場合、当該ウィルスを９９％以上除去できることが判明した。
【００２６】
ところで、電解水が循環する循環流路に、ゴミやほこり等が詰まって閉鎖されると、電気分解の際に生じる熱で、電解槽３１内の電解水の温度が上昇してしまう。そして、このままの状態で電気分解を続けると、電解槽３１内の水が高温になり、電極等の劣化を招くおそれが生じる。
そこで、本実施形態では、空気除菌運転の際に、電解水が循環する循環流路に発生した詰まりを検出する閉鎖検出処理を実行している。
【００２７】
図８は水循環流路に発生した詰まりを検出する閉鎖検出処理を示すフローチャートである。
先ず、床置き式空気除菌装置１の電源が投入されると、制御部３０は、床置き式空気除菌装置１が運転中か否かを判定する（ステップＳ１）。床置き式空気除菌装置１が運転中でない場合には（ステップＳ１：Ｎｏ）、制御部３０は、閉鎖検出処理を終了し、所定の割込み周期で閉鎖検出処理を再開する。
【００２８】
床置き式空気除菌装置１が運転中の場合（ステップＳ１：Ｙｅｓ）、制御部３０は、循環ポンプ１３が運転中か否かを判定する（ステップＳ２）。循環ポンプ１３が運転中でない場合には（ステップＳ２：Ｎｏ）、制御部３０は、閉鎖検出処理を終了し、所定の割込み周期で閉鎖検出処理を再開する。
【００２９】
循環ポンプ１３が運転中の場合（ステップＳ２：Ｙｅｓ）、制御部３０は、槽温度センサ４４の検出結果に基づいて、電解槽３１内の電解水の温度が閾値温度（上限温度）Ｔａ（本例では６０℃）を超えたか否かを判定する（ステップＳ３）。この閾値温度Ｔａは、水循環流路が閉鎖されていない場合、すなわち、水循環流路に詰まりが発生していない場合には、電解水の温度が到達し得ることの無い温度であり、６０℃に限定されない。また、循環ポンプ１３を運転して、電解槽３１に水が溜まる時間が経過すると、槽温度センサ４４により取得した温度を記憶部３５に記憶させる。そして、電解槽３１内の電解水の温度が閾値温度Ｔａを超えていない場合（ステップＳ３：Ｎｏ）、水循環流路に詰まりが発生していないと判断できるため、制御部３０は、閉鎖検出処理を終了し、所定の割込み周期で閉鎖検出処理を再開する。
【００３０】
電解槽３１内の電解水の温度が閾値温度Ｔａを超えている場合（ステップＳ３：Ｙｅｓ）、制御部３０は、電解槽内温度検出部４４の異常（槽温度センサ異常）によって電解水の温度が高いと誤検出されているか否かを判定すべく故障判定処理を行う。詳述すると、制御部３０は、槽温度センサ４４の検出した温度と、床置き式空気除菌装置１の運転開始時の温度との温度差が、閾値温度差Ｔｂ（本例では１０ｄｅｇ）を超えているか否かを判定する（ステップＳ４）。ここで、床置き式空気除菌装置１の運転開始時に、制御部３０は、槽温度センサ４４によって検出された温度を運転開始時温度として記憶部３５に格納しており、この運転開始時温度がステップＳ４にて参照される。
【００３１】
また、通常、運転中には電解槽３１内の電解水の温度が上昇し、運転開始時温度よりも大きくなる。したがって、運転中であるにもかかわらず、槽温度センサ４４の検出温度の運転開始時からほとんど変動しない場合、すなわち、上記閾値温度差Ｔｂ以内である場合には（ステップＳ４：Ｎｏ）、槽温度センサ４４に動作異常が発生していると特定される。
この場合、制御部３０は、ユーザに、槽温度センサ４４の異常を報知すべく、警告用ランプ３９のセンサ異常警告ランプを点灯させる。
【００３２】
槽温度センサ４４の検出温度と、床置き式空気除菌装置１の運転開始時の運転開始時温度との差が所定温度差を越えている場合には（ステップＳ４：Ｙｅｓ）、槽温度センサ４４に動作異常が無いものの、上記ステップＳ３の判定にて水循環流路に詰まりが発生していることが特定されているため、制御部３０は、流路閉鎖警報を出力する（ステップＳ６）。
この場合、制御部３０は、ユーザに循環流路の閉鎖を報知すべく、水循環流路の詰まりを報知すべく、警告用ランプ３９の詰まり警告ランプを点灯させると共に、図示せぬ音声出力部により警報音を放音させる。
【００３３】
このように、本実施の形態によれば、電解槽３１内の温度を検出する槽温度センサ４４を備え、この検出温度が閾値温度Ｔａを超えたか否かを判定するので、水循環流路の詰まりを検出してユーザに報知することができる。しかも、槽温度センサ４４の検出温度が閾値温度Ｔａを超えた場合には、この検出温度と予め測定した循環ポンプ１３の運転開始時の検出温度との温度差が、閾値温度差Ｔｂ内か否かを判定して槽温度センサ４４の異常か否かを判定した後に、センサ異常でない場合に限って水循環流路の詰まりを報知するので、水循環経路の詰まりの検出精度が向上し、かつ、センサ異常を検出することができる。
【００３４】
以上、一実施形態に基づいて本発明を説明したが、本発明は、これに限定されるものではない。例えば、活性酸素種としてオゾン（Ｏ3）や過酸化水素（Ｈ2Ｏ2）を発生させる構成としても良い。この場合、電極として白金タンタル電極を用いると、イオン種が希薄な水から、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応によりＯ2-が生成したＯ2-と溶液中のＨ+とが結合して、過酸化水素（Ｈ2Ｏ2）が生成される。
【００３５】
この構成では、電極に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。この電解水中におけるオゾンもしくは過酸化水素の濃度を、対象ウィルス等を不活化させる濃度に調整し、この濃度の電解水が供給された気液接触部材５に空気を通過させることにより、空気中に浮遊する対象ウィルス等を不活化することができる。また、臭気も気液接触部材５を通過する際に、電解水中のオゾンまたは過酸化水素と反応し、イオン化して溶解することで、空気中から除去され、脱臭される。
【００３６】
上記実施形態では、気液接触部材５への電解水滴下手段を説明したが、これに限定されず、気液接触部材５に電解水を浸透させてもよい。この場合、図示は省略したが例えば水受皿９に電解水を滞留させ、ここに気液接触部材５の下縁部を水没し、いわゆる毛細管現象によって電解水を吸い上げる構成としてもよい。
【００３７】
上記実施形態では、槽温度センサ４４は電解槽３１内の電解水の温度を検出し、水循環流路の詰まりを検出しているが、これに限らず、電解槽３１内の空気の温度や、電解槽３１自体の温度を検出し、水循環流路の詰まりを検出してもよい。
【図面の簡単な説明】
【００３８】
【図１】本発明の一実施形態を示す斜視図である。
【図２】内部構成を示す斜視図である。
【図３】筐体の縦断面図である。
【図４】気液接触部材の正面図である。
【図５】気液接触部材に電解水を滴下する手段を示す系統図であり、Ａは側面図、Ｂは散水ボックスの断面図、Ｃは電解槽の構成図である。
【図６】制御部の構成を示すブロック図である。
【図７】空気浄化の説明図である。
【図８】水循環流路に発生した詰まりを検出する閉鎖検出処理を示すフローチャートである。
【符号の説明】
【００３９】
１  床置き式空気除菌装置（空気除菌装置）
５  気液接触部材
９  水受皿
１３  循環ポンプ（ポンプ）
３０  制御部（詰まり検出手段）
３１  電解槽
３２、３３  電極
４４  槽温度センサ（電解槽内温度検出手段）
【図１】
2007175141.tif 000003
【図２】
2007175141.tif 000004
【図３】
2007175141.tif 000005
【図４】
2007175141.tif 000006
【図５】
2007175141.tif 000007
【図６】
2007175141.tif 000008
【図７】
2007175141.tif 000009
【図８】
2007175141.tif 000010